(57)【特許請求の範囲】
【請求項１】
粉粒状の内容物を収納し、該内容物を出し入れ可能な開口を有する容器本体と、該容器本体の前記開口を開閉可能に閉じる蓋とを備えた粉粒状製品用容器において、
前記容器本体と前記蓋とがヒンジ構造により結合され、
前記蓋の前記開口側の面には、前記蓋が閉じられた状態で前記開口の内周面に当接するインナーリングが突出して設けられ、
前記容器本体の開口及び前記インナーリングは互いに相似する略矩形状に形成され、
前記インナーリングは、その高さが前記ヒンジ構造側から該ヒンジ構造と対向する側に向けて高くなるように傾斜がつけられ、前記ヒンジ構造側に位置する部位に連なって屈曲又は湾曲して延出する部位から、次第に高さが高くなるように形成されていることを特徴とする粉粒状製品用容器。
【請求項２】
前記インナーリングは、前記ヒンジ構造側の部位が、前記蓋が完全に閉め切られる以前の前記開口の内周面に当接した時点で、前記ヒンジ構造側の部位と対向する側の部位が、前記開口の内周面内側に位置するように形成されていることを特徴とする請求項１に記載の粉粒状製品用容器。
【請求項３】
前記インナーリングの外周側における前記蓋の前記開口側の面には、前記蓋が閉じられた状態で前記容器本体の外周面を覆う外枠部が突出して設けられていることを特徴とする請求項１又は２に記載の粉粒状製品用容器。
【発明の詳細な説明】
【技術分野】
【０００１】
本発明は、粉粒状製品用容器に関する。
【背景技術】
【０００２】
粉粒状の内容物を計量して使用する衣料用洗濯洗剤や自動食洗機用洗剤等を収納する代表的な粉粒状製品用容器としては、容器本体と、容器本体とヒンジにより結合し、容器本体の開口を開閉可能とする蓋とからなる身蓋容器が挙げられる。このような容器では、内容物である粉粒状製品の吸湿等による劣化を防ぐため、密閉性を高める工夫として蓋の容器本体側の面に容器本体内側に向けて突出するインナーリングを設け、蓋を閉じた状態でインナーリングを容器本体の開口の内周面に密着させることが一般的である。
【０００３】
インナーリングに類する構造としては、特許文献１に、液体を注出する容器に蓋がヒンジによって結合され、蓋に容器の注出口に嵌り込む壁部が設けられるものが開示されている。この特許文献１に係る構造では、蓋に設けられた壁部がヒンジ側から先端側に向って高さが高くなるように形成されている。
【先行技術文献】
【特許文献】
【０００４】
【特許文献１】実開平０６−４２７０９号公報
【発明の概要】
【発明が解決しようとする課題】
【０００５】
インナーリングを備える粉粒状製品用容器の欠点としては、蓋を閉める際に蓋と容器本体とを結合するヒンジ側のインナーリングが先ず容器本体の内面と接するために、蓋を閉め切るための力が必要となる点があり、また、実際に使用される場面においては、蓋が容器本体から浮いた閉め切らない状態で放置されることがあり、その結果、粉粒状製品が吸湿により固化したり、香気が揮散したりしてしまう等の品質劣化につながることがある。
【０００６】
ここで、上記特許文献１に係る構造では、蓋に設けられた壁部がヒンジ側から先端側に向って高さが高くなるように形成されており、傾斜した注出口の密閉性を高める工夫がされているが、この壁部は、注出口が傾斜しているためにそれに合せて傾斜させたにすぎず、注出口あるいは取り出し口に傾斜がない容器における閉め切らない状態での密閉性を考慮したものではない。
【０００７】
本発明は係る実情に鑑みてなされたものであり、粉粒状の内容物を収納するための容器において、蓋が容器本体から浮いた閉め切らない状態で放置された場合であっても、内容物の劣化を防止することが可能であるとともに、蓋をスムーズに閉じることが可能な粉粒状製品用容器の提供を目的とする。
【課題を解決するための手段】
【０００８】
上記課題の解決手段として本発明は、粉粒状の内容物を収納し、該内容物を出し入れ可能な開口を有する容器本体と、該容器本体の前記開口を開閉可能に閉じる蓋とを備えた粉粒状製品用容器において、前記容器本体と前記蓋とがヒンジ構造により結合され、前記蓋の前記開口側の面には、前記蓋が閉じられた状態で前記開口の内周面に当接するインナーリングが突出して設けられ、前記インナーリングは、その高さが前記ヒンジ構造側から該ヒンジ構造と対向する側に向けて高くなるように傾斜がつけられていることを特徴とする。
【０００９】
上記粉粒状製品用容器においては、前記インナーリングは、前記ヒンジ構造側の部位が、前記蓋が完全に閉め切られる以前の前記開口の内周面に当接した時点で、前記ヒンジ構造側の部位と対向する側の部位が、前記開口の内周面内側に位置するように形成されていることが好ましい。
【００１０】
また、上記粉粒状製品用容器においては、前記インナーリングの外周側における前記蓋の前記開口側の面には、前記蓋が閉じられた状態で前記容器本体の外周面を覆う外枠部が突出して設けられていることが好ましい。
【００１１】
また、上記粉粒状製品用容器においては、前記容器本体の開口及び前記インナーリングは互いに相似する略矩形状に形成され、前記インナーリングは、前記ヒンジ構造側に位置する部位に連なって屈曲又は湾曲して延出する部位から、次第に高さが高くなるように形成されていることが好ましい。
【発明の効果】
【００１２】
本発明によれば、蓋によって容器本体の開口を閉じる際、ヒンジ構造側のインナーリングが、蓋が完全に閉め切られる以前の容器本体の開口内側面と当接した時点で、インナーリングによって容器本体の開口全周を覆うようにすることができ、蓋を閉め切らない状態でも密閉性を確保でき、製品の劣化を防止することができる。また、蓋を閉じる際に、ヒンジ構造側のインナーリングが開口の内周側にスムーズに入り込むようにすることができ、蓋をスムーズに閉じることができる。
【００１３】
また、蓋が閉じられた状態で容器本体の外周面を覆う外枠部を設けた場合には、外枠部とインナーリングとによって開口周囲を覆うことで、密閉性を向上できる。
【００１４】
また、インナーリングの容器本体の開口に干渉しやすい角部分から次第にインナーリングの高さが高くなるように形成した場合には、インナーリングがスムーズに開口の内周側に入り込み、スムーズに蓋を閉じることができる。
【図面の簡単な説明】
【００１５】
【図１】本発明の第１の実施形態に係る粉粒状製品用容器の斜視図である。
【図２】第１の実施形態に係る粉粒状製品用容器の蓋の下面図である。
【図３】第１の実施形態に係る粉粒状製品用容器の蓋の斜視図である。
【図４】第１の実施形態に係る粉粒状製品用容器の縦断面図であり、蓋を閉める際の様子を示した図である。
【図５】本発明の第２の実施形態に係る粉粒状製品用容器の蓋の斜視図である。
【発明を実施するための形態】
【００１６】
以下、本発明の実施形態を図面に基づいて説明する。
【００１７】
＜第１の実施形態＞
図１に示す本発明の第１の実施形態に係る粉粒状製品用容器１は、上方に開放する開口２を有する容器本体３と、容器本体３の開口２を開閉可能に閉じる蓋４とを備えている。容器本体３は、樹脂材料から成形され、平面視略矩形状の底壁部５と、底壁部５の周縁に立設された側壁部６とにより箱形状を呈している。側壁部６の上部には、この側壁部６の上端周縁よりも一回り大きい上枠部７が一体に結合され、開口２は上枠部７の上端を周縁とし、その輪郭形状が底壁部５の形状に対応する四隅が丸みを帯びた略矩形状とされている。容器本体３は、上方に向って次第に側壁部６が拡開する形状に形成されている。
【００１８】
容器本体３において上枠部の一側の長辺部３Ａには、外側に突出する一対の支持片８，８が一体に形成され、支持片８，８にはそれぞれ軸部９，９が形成されており、軸部９，９は互いに向き合っている。蓋４には、軸部９，９に係合する係合部１０が形成され、蓋４は、係合部１０を軸部９，９に枢支され、開口２に対して開閉可能に取付けられている。本実施形態において、ヒンジ構造は、支持片８，８、軸部９，９及び係合部１０で構成されている。
【００１９】
蓋４は、樹脂材料から成形され、図２にも示すように、開口２の輪郭形状と相似する四隅が丸みを帯びた略矩形状に形成され、蓋４の開口２側の面（下面）の外周縁には、蓋４が閉じられた状態で上枠部７の外周面を覆う壁状の外枠部１１が突出して形成されている。また、蓋４の下面において外枠部１１の内周側には、開口２の輪郭形状と相似する形状に形成され、蓋４が閉じられた状態で開口２の内周面（上枠部７の内周面）に当接する壁状のインナーリング１２が突出するように一体に形成されている。
【００２０】
インナーリング１２は、ヒンジ構造（係合部１０）側に位置し一定高さに設定されたヒンジ側長辺部１３と、ヒンジ側長辺部１３の両端に連なって湾曲して延出する短辺部１４，１５と、短辺部１４，１５の端部を相互に結合する反ヒンジ側長辺部１６とを一連に結合して形成されている。図３、図４に示すように、インナーリング１２は、その高さがヒンジ構造側から該ヒンジ構造と対向する側に向けて高くなるように傾斜がつけられ、短辺部１４，１５はそれぞれ、ヒンジ側長辺部１３との結合位置（図中、ｈ１参照）から次第に高さが高くなり（図中、ｈ２参照）、その後、一定高さで反ヒンジ側長辺部１６まで延出するように形成されている（図中、ｈ３参照）。本実施形態では、短辺部１４，１５は延在方向の中間位置よりも手前で一定高さとなる。
【００２１】
反ヒンジ側長辺部１６は、一定高さになった短辺部１４，１５と同一高さに形成され、これら短辺部１４，１５を連結させている。
【００２２】
図４を参照し、蓋４を閉める際の様子を説明する。同図に示すように、粉粒状製品用容器１では、容器本体３に対して蓋４を閉める際、蓋４が完全に閉め切られる以前のヒンジ側長辺部１３が開口２の内周面に浅く当接した時点で、反ヒンジ側長辺部１６が開口２の内周面内側に位置して該内周面に当接するとともに、短辺部１４，１５も開口２の内周面内側に位置して該内周面に当接し、開口２の全周がインナーリング１２によって覆われる。蓋４を閉め切った際には、インナーリング１２と外枠部１１とが開口２を挟み込むようにして覆い、密閉性の万全が期される。
【００２３】
以上に記載したように本実施形態に係る粉粒状製品用容器１は、粉粒状の内容物を収納し、内容物を出し入れ可能な開口２を有する容器本体３と、容器本体３の開口２を開閉可能に閉じる蓋４とを備え、容器本体３と蓋４とがヒンジ構造（８，９，１０）により結合され、蓋４の開口２側の面に、蓋４が閉じられた状態で開口２の内周面に当接するインナーリング１２が突出して設けられ、インナーリング１２は、その高さがヒンジ構造側から該ヒンジ構造と対向する側に向けて高くなるように傾斜がつけられている。そして、ヒンジ構造側のヒンジ側長辺部１３が、蓋４が完全に閉め切られる以前の開口２の内周面に当接した時点で、反ヒンジ側長辺部１６が開口２の内周面内側に位置するように形成されている。
【００２４】
この粉粒状製品用容器１では、蓋４によって容器本体３の開口２を閉じる際、ヒンジ構造側のインナーリング１２が、蓋４が完全に閉め切られる以前の容器本体３の開口２内側面と当接した時点で、インナーリング１２によって開口２全周を覆うことができるため、蓋４を閉め切らない状態でも密閉性を確保でき、製品の劣化を防止することができる。また、蓋４を閉じる際に、ヒンジ構造側のインナーリング１２が開口２の内周側にスムーズに入り込むようにすることができ、蓋４をスムーズに閉じることができる。
【００２５】
また、インナーリング１２の外周側における蓋４の開口２側の面には、蓋４が閉じられた状態で容器本体３の外周面を覆う外枠部１１が突出して設けられており、外枠部１１とインナーリング１２とによって開口２周囲を覆うことで、密閉性を向上できる。
【００２６】
また、本実施形態では、容器本体３の開口２及びインナーリング１２が互いに相似する略矩形状に形成され、インナーリング１２が、ヒンジ構造側に位置する部位（ヒンジ側長辺部１３）に連なって湾曲して延出する部位（短辺部１４，１５）から、次第に高さが高くなるように形成されている。このようにインナーリング１２の開口２に干渉しやすい角部分から次第に高さが高くなるように形成した場合には、インナーリング１２がスムーズに開口２の内周側に入り込み、スムーズに蓋４を閉じることができる。
【００２７】
＜第２の実施形態＞
次に、図５を用いて本発明の第２の実施形態について説明する。第１の実施形態と同様の構成要素については同一符号で示し、説明を省略する。図５は第２の実施形態に係る粉粒状製品用容器２０の蓋のみを示している。
【００２８】
本実施形態に係る粉粒状製品用容器２０は、インナーリングの形状が第１の実施形態と異なる。本実施形態に係るインナーリング２１は、ヒンジ側長辺部１３の両端に連なって湾曲して反ヒンジ側長辺部１６へ延出する短辺部１４，１５の高さが、ヒンジ側長辺部１３から反ヒンジ側長辺部１６にかけて次第に高くなるように形成されている（図中、ｈ１及びｈ２’参照）。
【００２９】
このような第２の実施形態に係る粉粒状製品用容器２０においても、上記第１の実施形態と同様に、蓋４を閉め切らない状態でも密閉性を確保でき、製品の劣化を防止することができる。また、蓋４を閉じる際に、ヒンジ構造側のインナーリング２１が開口２の内周側にスムーズに入り込むようにすることができ、蓋４をスムーズに閉じることができる。
【００３０】
以上で本発明の第１及び第２の実施形態を説明したが、本発明は上記実施形態に限定されるものではない。例えば、上記各実施形態では、容器本体３が平面視で矩形状の例を挙げたが、本発明は平面視で円形や楕円形状の容器においても好適に用いることができる。
【符号の説明】
【００３１】
１，２０  粉粒状製品用容器
２  開口
３  容器本体
４  蓋
８  支持片（ヒンジ構造）
９  軸部（ヒンジ構造）
１０  係合部（ヒンジ構造）
１２，２１  インナーリング
【図１】
0005639905.tif 000002
【図２】
0005639905.tif 000003
【図３】
0005639905.tif 000004
【図４】
0005639905.tif 000005
【図５】
0005639905.tif 000006